(57)【要約】【課題】火災時等に異常高温状態に晒されたときガス流通を制限又は遮断してガスの漏出を防止できるのは勿論、通常のガス供給時の圧力損失を小さくできると共に構造を簡単にして安価に提供できるガス漏出防止装置を提供する。【解決手段】ガス体輸送管が異常な高温に晒されたときにガス流通を制限又は遮断する弁板を備えたガス漏出防止装置である。ガス管３の流路４に、弁板５を起こした状態で流路４が開放され且つ弁板５を倒した状態でガス流通が制限又は遮断されるように弁板５を起倒自在に配置する。通常は弁板５が起立状態に保持されると共に高温に晒されると保持が解除されて弁板５が倒れるように弁板５を保持手段６で保持する。【選択図】　　　　図１
2004019689.tif 000002
【特許請求の範囲】
【請求項１】
ガス体輸送管が異常な高温に晒されたときにガス流通を制限又は遮断する弁板を備えたガス漏出防止装置であって、ガス管の流路に、弁板を起こした状態で流路が開放され且つ弁板を倒した状態で弁板でガス流通が制限又は遮断されるように弁板を起倒自在に配置し、通常は弁板が起立状態に保持されると共に高温に晒されると保持が解除されて弁板が倒れるように弁板を保持手段で保持したことを特徴とするガス漏出防止装置。
【請求項２】
一対の半円盤状の弁板をバタフライ弁状に組み合わせ、一対の弁板を重ね合わせるように起立した状態で流路を開放すると共に一対の弁板が円盤状になるように水平に倒した状態でガス流通を制限または遮断するようにし、一対の弁板を起立させた状態で一対の弁板を上記保持手段で保持したことを特徴とする請求項１記載のガス漏出防止装置。
【請求項３】
一対の弁板間に一対の弁板が広がるように付勢するばねを介装したことを特徴とする請求項２記載のガス漏出防止装置。
【請求項４】
弁板を流路の周囲に周方向に亙って複数枚配置し、弁板の端部を流路の内面に回転自在に連結して複数枚の弁板を起倒自在にし、複数枚の弁板を流路の内面に沿わせるように起立した状態で流路を開放すると共に複数枚の弁板を水平になるように倒した状態でガス流通を制限又は遮断するようにし、複数枚の弁板を起立させた状態で複数枚の弁板を上記保持手段で起立状態に保持したことを特徴とする請求項１記載のガス漏出防止装置。
【請求項５】
弁板の端部を流路の内面に回転自在に装着して起倒自在にし、流路を開放するように弁板を起立したとき弁板が流路の内面に沿うように弁板の上から見た断面形状が半円状になるようにすると共にガス流通を制限または遮断するように弁板を水平に倒したとき弁板の上から見た形状が円形になるようにし、弁板を起立させた状態で弁板を上記保持手段で保持したことを特徴とする請求項１記載のガス漏出防止装置。
【発明の詳細な説明】
【０００１】
【発明の属する技術分野】
本発明は、例えば、火災時等に異常な高温に晒されたときガス管内のガス流通を制限または遮断してガスの漏出を防止するガス漏出防止装置に関するものである。
【０００２】
【従来の技術及び発明が解決しようとする課題】
一般に、ガスを通じている配管材料は、鉄等の高融点の金属で製造されているために、火災時にガスを漏出することはないが、配管の端末等に接続されている機器やガスメータ等は配管部材と比較すると融点が低い部品を使用している場合もあるため、火災時等の異常な高温により長時間熱せられると何らかの損傷を起こし、ガスが漏出する可能性がないとも言えない。
【０００３】
そこで、ガスメータ等の機器よりガス供給側のガス管に緊急遮断弁を設け、火災等により異常な高温に晒されたとき、それを検知して遮断弁を遮断するようにしたものが近年提供されている。その一例として特開平６−１２３３７２や特開２０００−２３５３で開示されるものがある。これはガス管の流路内にボール状の弁体を配置してあり、通常は弁体を半田、樹脂等の低融点材料で流路内の所定位置に保持してあり、火災等で異常な高温に晒されたとき、低融点材料が溶融して弁体の保持が解除され、自重やばねの付勢力で弁体が流路内の弁座に移動して弁座を弁体にて閉塞するようになっている。かかるものでは異常な高温に晒されたとき弁体が弁座を閉塞することでガスの漏出を遮断できるようになっているが、上記のように弁座を閉塞する大きな径の弁体が流路内の所定位置に低融点材料で保持されているために流路のガスの流れの大きな妨げになり、通常の状態でガスを供給するときに大きな圧力損失となるという問題がある。
【０００４】
通常のガスの供給時にはガス管の流路内に弁体が位置しないようにしてガスの供給の圧力損失を少なくするものとして特開２０００−７４２３９が開示されているが、弁体を収納する管を別途に継ぎ足すように設けなければならなく、構造が極めて複雑になりコストアップになると共に余分に突出する部分ができるという問題がある。
【０００５】
本発明は上記の点に鑑みてなされたものであり、火災時等に異常高温状態に晒されたときガス流通を制限または遮断してガスの漏出を防止できるのは勿論、通常のガス供給時の圧力損失を小さくできると共に構造を簡単にして安価に提供できるガス漏出防止装置を提供することを課題とするものである。
【０００６】
【課題を解決するための手段】
上記課題を解決するための本発明のガス漏出防止装置は、ガス体輸送管が異常な高温に晒されたときにガス流通を制限または遮断する遮断弁を備えたガス漏出防止装置であって、ガス管３の流路４に、弁板５を起こした状態で流路４が開放され且つ弁板５を倒した状態で弁板５でガス流通が制限又は遮断されるように弁板５を起倒自在に配置し、通常は弁板５が起立状態に保持されると共に高温に晒されると保持が解除されて弁板５が倒れるように弁板５を保持手段６で保持したことを特徴とする。火災時等で異常な高温に晒されたときは保持手段６の保持が解除されて弁板５が倒れてガス流通が制限又は遮断され、ガスの漏出が防止される。通常のガスの供給状態のときは弁板５が起立するように保持手段６で保持されているが、弁板５が起立状態になっているために弁板５がガスの流れ抵抗となりにくく、異常時にガス流通を制限又は遮断するようになっていてもガスを供給するときの圧力損失を小さくできる。また流路４内に弁板５を起倒自在に装着するだけの構造であるために構造が簡単でコストがかからないと共に外観が変らない。
【０００７】
また一対の半円盤状の弁板５をバタフライ弁状に組み合わせ、一対の弁板５を重ね合わせるように起立した状態で流路４を開放すると共に一対の弁板５が円盤状になるように水平に倒した状態でガス流通を制限又は遮断するようにし、一対の弁板５を起立させた状態で一対の弁板５を上記保持手段６で保持したことを特徴とすることも好ましい。
【０００８】
また一対の弁板５間に一対の弁板５が広がるように付勢するばね７を介装したことを特徴とすることも好ましい。
【０００９】
また弁板５を流路４の周囲に周方向に亙って複数枚配置し、弁板５の端部を流路の内面に回転自在に連結して複数枚の弁板５を起倒自在にし、複数枚の弁板５を流路４の内面に沿わせるように起立した状態で流路４を開放すると共に複数枚の弁板５を水平になるように倒した状態でガス流通を制限又は遮断するようにし、複数枚の弁板５を起立させた状態で複数枚の弁板５を上記保持手段６で起立状態に保持したことを特徴とすることも好ましい。
【００１０】
また弁板５の端部を流路４の内面に回転自在に装着して起倒自在にし、流路４を開放するように弁板５を起立したとき弁板５が流路４の内面に沿うように弁板５の上から見た断面形状が半円状になるようにすると共にガス流通を制限又は遮断するように弁板５を水平に倒したとき弁板５の上から見た形状が円形になるようにし、弁板５を起立させた状態で弁板５を上記保持手段６で保持したことを特徴とすることも好ましい。
【００１１】
【発明の実施の形態】
本発明はガスメータ１等の機器よりガス供給側に火災等の異常な高温に晒されたときガスの供給を制限または遮断するガス漏出防止装置を備えたものであり、本例の場合、機器としてガスメータ１よりガス供給側にガス漏出防止装置を備えたものについて述べる。ガスメータ１にはガス入口２とガス出口８を設けてあるが、図３に示すようにガス供給業者からガスを供給するガス管３をガス入口２に連結してあり、ガスメータ１から使用者にガスを供給するガス管９をガス出口８に連結してある。ガス入口２よりガス供給側であるガス管３にガスの漏出を防止するガス漏出防止装置が設けられるであるが、例えば、図３の符号ＡやＢに示す位置に設けられる。
【００１２】
図１、図２はガス漏出防止装置の一例を示すものであり、ガス漏出防止装置の主体となる弁板５は略半円盤状に形成してあり、一対の弁板５を１組としてバタフライ弁状に開閉するようになっている。ガス管３の流路４は鉛直方向にガスが流れるようになっており、流路４内には格子状の支持材１０を水平に装着してある。支持材１０の上には一対の半円盤状の弁板５を載置してあり、一対の弁板５の弦縁同士を重ねるように支持材１０の中心線上に配置して各弁板５の弦縁を夫々支持材１０にヒンジ１１等で回転自在に装着してあり、一対の弁板５が起倒自在になっている。一対の弁板５が倒れることにより水平になって支持材１０の上に円盤状に広がり、流路４が閉じられてガス流通が制限または遮断されるようになっており、一対の弁板５が起立することにより一対の弁板５が略垂直方向を向いて流路４が開放されるようになっている。上記弁板５の弦縁は夫々支持材１０にヒンジ１１等で回転自在に装着してあるが、各弁板５は水平に倒れた状態と略垂直に起立する間の角度だけ自在に回転するように回転角度を規制してあり、起立した位置からさらに回動しないようにしてある。
【００１３】
一対の弁板５は通常、図１（ａ）のように起立させられており、一対の弁板５の上部間は保持手段６としての連結部材６ａにて連結してある。この連結部材６ａにて連結することで一対の弁板５は起立状態に維持されるようになっている。この連結部材６ａは例えば半田、アルミニウム、樹脂等の低融点材料にて形成されており、所定温度以上の高温に晒されると溶融して連結が外れるようになっている。かかる連結部材６ａを低融点材料にて形成する代わりに高温になると磁力の低下する磁石を用いてもよい。つまり、常温では強い磁力で磁着されるが、所定温度以上に晒されると、磁力が低下して磁着が外れる磁石を用いてもよい。このように連結部材６ａで連結する場合、連結部材６ａの連結が解除されたとき弁板５の自重で弁板５が倒れるようにするために弁板５を起立させた状態で一対の弁板５間に僅かな開き角度が設けられるようにしてある。
【００１４】
通常、図１（ａ）に示すように一対の弁板５が起立されて流路４が開放されており、流路４をガスが流れる状態となっている。このとき、一対の半円盤状の弁板５が重なるように起立させられるために流路４は大きく開放され、弁板５が抵抗となることが殆どなく、ガスがスムーズに流れて圧力損失が少ない。火災等が発生したりして異常な高温に晒されたとき、連結部材６ａの連結が溶融や磁力の低下で外れ、一対の弁板５が自重で倒れて図１（ｂ）に示すように支持材１０に一対の弁板５が水平に重なって流路４が閉じられ、ガスの供給が制限または遮断されてガスの漏出が防止される。
【００１５】
また図４はガス漏出防止装置の他の例を示すものである。本例も上記の図１や図２の例と基本的に同じであるが、保持手段６として支え材６ｂを用いている点が異なる。本例の場合、図４（ａ）に示すように半田、アルミニウム、樹脂等の低融点材料にて形成せる棒状の支え材６ｂを弁板５と支持材１０との間に架設してある。そして、通常、図４（ａ）に示すように一対の弁板５が起立されて流路４が開放されており、流路４をガスが流れる状態となっている。火災等が発生したりして異常な高温に晒されたとき、支え材６ｂが溶融して支えがなくなり、一対の弁板５が自重で倒れて支持材１０に一対の弁板５が水平に重なって流路４が閉じられ、ガスの供給が制限又は遮断されてガスの漏出が防止される。また図４（ａ）のように棒状の支え材６ｂを用いる代わりに、図４（ｂ）のように弁板５の根元に支え材６ｂと点的に取り付けてもよい。
【００１６】
また図５はガス漏出防止装置の他の例を示すものである。本例も図１や図２の例と基本的に同じであり、異なる点だけを述べる。本例の場合、半円盤状の一対の弁板５を略垂直に起立させたとき、一対の弁板５間に開き角度をできないように一対の弁板５を重ねることができるようにようになっている。また保持手段６は半田、アルミニウム、樹脂等の低融点材料または磁石よりなる結合部材６ｃであり、一対の弁板５を起立させて重ねた状態で弁板５の円弧縁同士を結合部材６ｃにて結合してある。また一対の弁板５には夫々ばね収納凹所１２を設けてあり、両ばね凹所１２にコイルばねのようなばね７を介装してあり、このばね７にて一対の弁板５が広がるように付勢してある。
【００１７】
そして、通常、一対の弁板５が起立されて流路４が開放されており、流路４をガスが流れる状態となっている。このとき、一対の弁板５が重なるように起立させられており、ガスが流れる状態での流路抵抗が少なくなり、圧力損失を防止できる。火災等が発生したりして異常な高温に晒されたとき、結合部材６ｃの結合が解除され、ばね７の付勢力で一対の弁板５が倒れて支持材１０に一対の弁板５が水平に重なって流路４が閉じられ、ガスの供給が制限又は遮断されてガスの漏出が防止される。
【００１８】
また図６はガス漏出防止装置の他の例を示すものである。本例の場合、複数枚の略扇形の弁板５を流路４の周方向に複数枚配置してあり、扇形の弁板５の外周の円弧縁の部分をガス管３の内面の鍔縁１３にヒンジ１１等で回転自在に装着してあり、弁板５が起立する状態と水平に倒れる状態との間起倒自在になっている。保持手段６は本例の場合、半田、アルミニム、樹脂等の低融点材料よりなる保持リング６ｄにて形成されており、各弁板５を起立した状態で弁板５の自由端に保持リング６を結合して弁板５の起立状態を維持できるようになっている。
【００１９】
そして、通常、図６（ａ）に示すように複数枚の弁板５が起立されて流路４が開放されており、流路４をガスが流れる状態となっている。火災等が発生したりして異常な高温に晒されたとき、保持リング６ｄが溶融して弁板５の保持が解除され、弁板５の自重にて複数枚の弁板５が水平に倒れて図６（ｂ）に示すように流路４が閉じられ、ガスの供給が制限又は遮断されてガスの漏出が防止される。
【００２０】
上記保持手段６として保持リング６ｄの代わりに、半田、アルミニウム、樹脂等の低融点材料よりなる保持棒６ｅを用い、図７に示すように起立状態の弁板５を支持しても同様の動作を実現できる。
【００２１】
また図８、図９はガス漏出防止装置の他の例を示すものである。本例の場合、１枚の弁板５が平面から見た断面形状が半円状で且つ側面から見た形状が円形になる形状に形成されている。そして流路４の内面に沿わせるように弁板５を起立させて配置した状態で弁板５の下端をヒンジ１１等で流路４の内面に回転自在に装着してあり、弁板５が流路４の内面に沿ったり水平に倒れたりするように起倒自在になっている。保持手段６は本例の場合、半田、アルミニウム、樹脂等の低融点材料、磁石等の固定部６ｆにて形成されており、固定部６ｆにて弁板５の上端を流路４の内面に固定してある。
【００２２】
そして、通常、図８（ａ）（ｂ）に示すように複数枚の弁板５が起立されて流路４が開放されており、流路４をガスが流れる状態となっている。このとき、起立した弁板５が流路４の内面に沿い、ガスが流れるときの流路抵抗が殆どなく、圧力損失を防止できる。火災等が発生したりして異常な高温に晒されたとき、固定部６ｆの固定が解除され、弁板５の自重にて弁板５が水平に倒れて図８（ｃ）に示すように流路４が閉じられ、ガスの供給が制限又は遮断されてガスの漏出が防止される。
【００２３】
【発明の効果】
本発明はガス管の流路に、弁板を起こした状態で流路が開放され且つ弁板を倒した状態で弁板でガス流通が制限又は遮断されるように弁板を起倒自在に配置し、通常は弁板が起立状態に保持されると共に高温に晒されると保持が解除されて弁板が倒れるように弁板を保持手段で保持したので、火災等で異常な高温に晒されたときは保持手段の保持が解除されて弁板が倒れてガス流通が制限又は遮断され、ガスの漏出が防止されるのは勿論、通常のガスの供給状態のときは弁板が起立するように保持手段で保持されているが、弁板が起立状態になっているために弁板がガスの流れ抵抗となりにくく、異常時にガス流通を制限又は遮断するようになっていてもガスを供給するときの圧力損失を小さくできるものであり、また流路内に弁板を起倒自在に装着するだけの構造ために構造が簡単でコストがかからないと共に外観が変らないようにできるものである。
【図面の簡単な説明】
【図１】本発明の実施の形態の一例の要部を示し、（ａ）は弁板を起立させた状態の断面図、（ｂ）は弁板を倒した状態の断面図である。
【図２】同上の弁板の部分の構造を説明する斜視図である。
【図３】同上のガスメータへの配管を示す正面図である。
【図４】（ａ）（ｂ）は同上の他の例の要部を示す断面図である。
【図５】同上の他の例の要部を示し、（ａ）は断面図、（ｂ）は弁板の斜視図である。
【図６】同上の他の例の要部を示し、（ａ）は弁板を起立させた状態の斜視図、（ｂ）は弁板を倒した状態の斜視図である。
【図７】同上の他の例の要部の斜視図である。
【図８】同上の他の例を示し、（ａ）は弁板を起立させた状態の正面から見た断面図、（ｂ）は（ａ）の平面から見た断面図、（ｃ）は弁板を倒した状態の正面から見た断面図である。
【図９】同上の弁板の形状を示す斜視図である。
【符号の説明】
１　ガスメータ
２　ガス入口
３　ガス管
４　流路
５　弁板
６　保持手段
【図１】
2004019689.tif 000003
【図２】
2004019689.tif 000004
【図３】
2004019689.tif 000005
【図４】
2004019689.tif 000006
【図５】
2004019689.tif 000007
【図６】
2004019689.tif 000008
【図７】
2004019689.tif 000009
【図８】
2004019689.tif 000010
【図９】
2004019689.tif 000011